(57)【特許請求の範囲】
【請求項１】
気体の給排によって円筒状に膨張されるとともに板状に収縮される袋状体に、その全長にわたって一定幅の帯状体を取付けてなるオイルフェンスであって、
袋状体の少なくとも一端部分に、給気口および、気密に閉止するスライドファスナーをそれぞれ設けてなるオイルフェンス。
【請求項２】
前記スライドファスナーを袋状体の長さ方向に向けて配設してなる請求項１記載のオイルフェンス。
【請求項３】
給気口およびスライドファスナーのそれぞれを、収縮姿勢の袋状体の同一表面側に設けてなる請求項１もしくは２記載のオイルフェンス。
【発明の詳細な説明】
【０００１】
【発明の属する技術分野】
この発明は、気体の供給によって浮力を発生する充気タイプのオイルフェンスに関し、とくには、供給した気体の排出を迅速ならしめるものである。
【０００２】
【従来の技術】
気体の給排によって円筒状に膨張されるとともに板状に収縮される袋状体に、その全長にわたって一定幅の帯状体を取付けてなる、従来の充気タイプのオイルフェンスでは、多くは、袋状体の、長さ方向の少なくとも一端部分に給気口を設けるとともに、その給気口の近傍部分に排気弁を設けており、袋状体からの気体の排出は、その排気弁を開放することにより行っている。
【０００３】
【発明が解決しようとする課題】
ところで、このような従来技術にあっては、袋状体からの排気を十分迅速に行うためには、その排気弁の寸法を相当大きくすることが必要になるところ、排気弁寸法を大きくした場合には、オイルフェンスを巻き取って、または折り畳んで保管等をするに当たり、その排気弁の、とくには凸側寸法が大きいことに起因して占有スペースが大きくなるという不都合があり、この一方で、保管等の妨げとならない程度に排気弁を小型化した場合には、排気に要する時間が長くなるため、使用済みオイルフェンスの巻取り等に要する時間が著しく長くなるという問題があった。
【０００４】
この発明は、従来技術の有するこのような問題点を解決することを課題として検討した結果なされたものであり、この発明の目的は、オイルフェンスの巻取り体積、折り畳み体積等を十分小ならしめてなお、袋状体からの排気を極めて迅速に行うことができるオイルフェンスを提供するにある。
【０００５】
【課題を解決するための手段】
この発明のオイルフェンスは、気体の供給によって円筒状に膨張され、排出によって板状に収縮される袋状体に、その全長にわたって、一定幅の帯状体を直線状に取付け、そして、その袋状体の少なくとも一端部分に、給気口の他、気密に閉止するスライドファスナーを設けたものであり、そのスライドファスナーを排気口として機能させることで、排気口寸法を、迅速なる排気のための十分大きな寸法としてなお、保管時等の占有スペースの増加を有効に防止するものである。
【０００６】
ここで好ましくは、スライドファスナーを袋状体の長さ方向に向けて配設し、また、給気口およびスライドファスナーのそれぞれを、収縮姿勢の袋状体の同一表面側に設ける。
【０００７】
【発明の実施の形態】
以下にこの発明の実施の形態について説明する。
図１は一の実施形態を示す側面図および断面図であり、図中１は、ゴム、ゴム引きキャンバス地などからなる、たとえば１０〜２０ｍの長さの袋状体を示し、この袋状体１は、そこへの気体、たとえば空気の供給によって、図１（ｂ）に示すように円筒状に膨張し、そこからの空気の排出によって板状に収縮する。
また２は、袋状体１の、図では下端に、その全長にわたって直線状に取付けた、一定幅、たとえば０．４〜０．９ｍの範囲内の幅を有する帯状体を示す。
【０００８】
ここで、袋状体１への帯状体２の取付けは、図１（ｂ）に示すように、袋状体１に貼着、融着、縫着等によって固着させた継ぎ布３に、その帯状体１の上端部を貼着、融着、縫着等することにより行い、また袋状体１の両端の気密封止は、その両端を、帯状体２とともに、剛性当板４を介してボルト５で緊締することにより行う。なお、ボルト５によるこのような緊締に当たり、図２に軸線方向の断面図で示すように、袋状体１の表面側および裏面側のそれぞれに位置する剛性当板４のいずれか一方に掛合フック６を設けた場合には、その掛合フック６を隣接するオイルフェンスに設けた同様の掛合フックに掛止させることで、オイルフェンスの相互連結を容易に行うことができる。
【０００９】
またここでは、袋状体１の内側への気体の供給を可能ならしめるべく、その両端部分にそれぞれの給気口７を設ける。図３は、このような給気口７の取付例を示す断面図であり、たとえば、直径が５０．８ｍｍ（２インチ）程度の、金属製もしくは合成樹脂製の逆止弁付きのものとすることができるこの給気口７は、その周囲に張り出し形成したフランジ７ａを、袋状体１の内外両側から挟み込んで接着することで袋状体１に一体化させることができる。
なお、給気口７の配設位置および個数等は、袋状体１の長さ、直径等との関連において適宜に選択することができる。
【００１０】
さらに図示例では、長さ方向の四個所に、気密に閉止することができるスライドファスナー８を設け、これらのそれぞれのスライドファスナー８を、開閉自在の排気口として機能させる。ここで、スライドファスナー８の配設位置、個数、寸法等もまた、袋状体１の各種寸法に応じて選択し得ることはもちろんであるが、好ましくは、少なくとも一のスライドファスナー８を、オイルフェンスの折り畳み側もしくは巻取り側とは反対側の端部にできるだけ近接させて位置させ、これによって、その折り畳み、巻取り等に際する、袋状体内の気体のより十分なる排出を担保して、袋内残留気体をできるだけ低減させ、折り畳み、巻取り等の後の体積を十分小ならしめる。
【００１１】
ところで、ここにおけるスライドファスナーそれ自体は、図４（ａ）に示すように、従来周知のものとほぼ同様の形態を有するものであって、スライダー８ａ、このスライダー８ａの摺動運動に基づいて噛合され、またその噛合を解除される務歯等を具え、かかるスライドファスナー８の、袋状体１の取付けは、スライドファスナー８の周辺部分を図４（ｂ）に示すように、袋状体１の内面側に、貼着、融着、縫着等することによって行うことができる。従って、スライドファスナー８は、それの寸法、いいかえれば、スライダー８ａの摺動距離の大小にかかわらず、占有体積を十分小ならしめることができ、このことは、オイルフェンスの、折り畳み時等においても同様である。
【００１２】
ここで、スライドファスナー８の、袋状体１への取付部では、その袋状体１の外表面に図示のようなカバーフラップ８ｂを貼着等して、スライドファスナー８を、水上浮遊物等の衝突から保護することが好ましい。
【００１３】
なお、このようなスライドファスナー８は、それの長さ方向を袋状体１の長さ方向に向けて配設して、スライダー８ａが、袋状体１の長さ方向に摺動する配置とすることが好ましく、このことによれば、オイルフェンスの展張によって、そこに長さ方向の引張り力が作用した場合でも、ファスナー８の、相互に噛合する務歯が、その引張り力によって噛み合いを解除されるおそれがない。
【００１４】
そしてまた、スライドファスナー８の取付けは、袋状体１を収縮させてそれを板状とした姿勢の下で、給気口７と同一の表面側となる位置にて行うことが好ましく、これによれば、オイルフェンスをたとえば巻き取って保管する場合に、ファスナー取付け面が外側となる状態として巻き取ることで、ファスナー８の開放下での排気を迅速かつ円滑に行うことができ、一方、それを展張するに当たって、オイルフェンスの巻きほぐしと、給気口７からの給気とを併せ行うことができる。
【００１５】
ここにおいて、オイルフェンス２の下端部には、両端を前記剛性当板４に連結したチェーン９を挿通させて、その帯状体２の不要なゆらぎを拘束する。
【００１６】
以上のように構成してなるオイルフェンスの使用に際しては、たとえば、巻取機に巻回されて保管されている、複数本が予め連結されたオイルフェンスを船によって水上に引き出しつつ、各オイルフェンスの帯状体１を、スライドファスナー８の閉止下での、給気口７への所定圧力の気体、たとえば０．１kgf ／cm2 の空気の供給によって筒状に膨張させて、オイルフェンスの所定の領域への展張を行う。
【００１７】
そして、オイルフェンスのこのような展張状態の下での油の回収の終了後は、各オイルフェンスを洗浄した後、巻取機によるそれの巻取りを行う。ここで、オイルフェンスのこの巻取りは、前述したように、スライドファスナー８が巻回の外側に向く姿勢にて行い、その巻取りの開始と併せてそれぞれのスライドファスナー８を開放することにより、袋内空気は、各ファスナー８を経て、巻取りの始端側から終端側へ向けて次第に、迅速かつ円滑に排出され、各オイルフェンスがその巻取りの終端に達したときには、袋内空気はほぼ完全に排出される。
【００１８】
従って、このオイルフェンスでは、気体排出口として機能するスライドファスナー８が、それの寸法の大小にかかわらず体積が極めて小さく、しかも、巻取り後の袋内残留空気が極めて少なくなることに基づき、それの巻取り保管等に当たっての占有スペースを従来技術に比してはるかに低減させることができ、また、スライドファスナー８の十分大きな開口状態にてその排気を行うことで、排気速度を著しく高めて、巻取り作業効率を大幅に向上させることができる。
【００１９】
【発明の効果】
以上に述べたところから明らかなように、この発明によれば、気体排気口として機能する、気密閉止可能なスライドファスナーが、凹凸部をほとんど有しておらず、しかも、多量の袋内空気を迅速に、かつほぼ完全に排出できることから、オイルフェンスを折り畳み、巻取り等して保管するに当たって、占有スペースを大きく低減できるとともに、その折り畳み、巻取り等の作業を極めて能率的に行うことができる。
【図面の簡単な説明】
【図１】この発明の一実施形態を示す側面図および断面図である。
【図２】袋状体の端部閉塞例を示す断面図である
【図３】給気口の取付け状態を示す断面図である。
【図４】スライドファスナーを示す平面図および、それの取付け状態の断面図である。
【符号の説明】
１  袋状体
２  帯状体
３  継ぎ布
４  剛性当板
５  ボルト
６  掛合フック
７  給気口
８  スライドファスナー
８ａ  スライダー
９  チェーン
【図１】
0003734866.tif 000002
【図２】
0003734866.tif 000003
【図３】
0003734866.tif 000004
【図４】
0003734866.tif 000005